(57)【要約】      （修正有）【課題】バッテリの交換が可能な発光靴を提供する。【解決手段】本体１０と、ソール２０と、照明装置とを有し、本体１０は、履き部１１と、履き部１１の底部に穿設される貫通孔に設置され、上方に引っ張り上げることができるように履き部１１の底板１１１に連接されるカバー１２とを備える。ソール２０は、半透明状を呈し、ソール２０と履き部１１との間に収容空間２１が形成され、カバー１２は、収容空間２１の上方に位置する。照明装置は、収容空間２１に設置され、照明モジュールと、切り替えスイッチ３２と、中央制御部３３とを備え、中央制御部３３は、カバー１２の下方に位置し、第三電気接続素子３３１と、バッテリ３３３と、を備え、また、その第三電気接続素子３３１を介して着脱可能に照明モジュール３１及び切り替えスイッチ３２と電気接続する。【選択図】図２
0003169198.tif 000002
【実用新案登録請求の範囲】
【請求項１】
本体１０と、ソール２０と、照明装置３０とを有し、
前記本体１０は、履き部１１と、カバー１２とを備え、
前記履き部１１は、底部に形成される底板１１１と、前記履き部１１に穿設される貫通孔１１２とを有し、
前記カバー１２は、前記貫通孔１１２に設置されると共に、上方に引っ張り上げることができるように前記底板１１１に連接され、
前記ソール２０は、前記履き部１１の底部に連結され、前記ソール２０と底板１１１との間に収容空間２１が形成され、
前記貫通孔１１２は、前記収容空間２１の上方に位置すると共に、前記収容空間２１と連通する。
また、前記ソール２０は、半透明状を呈するものであり、
前記照明装置３０は、前記収容空間２１に設置され、照明モジュール３１と、切り替えスイッチ３２と、中央制御部３３とを備え、
その内、前記照明モジュール３１は、前記収容空間２１に設置され、第一電気接続素子３１２を含み、前記切り替えスイッチ３２は、前記履き部１１に設けられ、第二電気接続素子３２１を含み、ライト開閉信号を生じ、
前記中央制御部３３は、前記カバー１２の下方に位置し、第三電気接続素子３３１と、制御モジュール３３２と、バッテリ３３３と、保護体３３４とを備え、また、前記第三電気接続素子３３１を介して着脱可能に前記照明モジュール３１の第一電気接続素子３１２及び前記切り替えスイッチ３２の第二電気接続素子３２１と電気接続し、
かつ、前記制御モジュール３３２は、そのライト開閉信号を受信すると、前記照明モジュール３１を駆動し、前記バッテリ３３３は、前記制御モジュール３３２と電気接続して電力を提供し、前記保護体３３４には、前記制御モジュール３３２及びバッテリ３３３を被覆することを特徴とするバッテリの交換可能な発光靴。
【請求項２】
前記照明モジュール３１は、それぞれ前記収容空間２１の周囲に分散するように設置されると共に、放射状の照明方向が形成される複数の発光素子３１１を有し、また、前記切り替えスイッチ３２は、前記底板１１１の上方に位置することを特徴とする請求項１に記載のバッテリの交換可能な発光靴。
【請求項３】
前記ソール２０は、半透明状を呈することを特徴とする請求項２に記載のバッテリの交換可能な発光靴。
【請求項４】
前記ソール２０は、半透明状を呈することを特徴とする請求項１に記載のバッテリの交換可能な発光靴。
【請求項５】
前記発光素子３１１は、発光ダイオードであり、
前記切り替えスイッチ３２は、押圧式のスイッチであることを特徴とする請求項１乃至４の何れか１項に記載のバッテリの交換可能な発光靴。
【考案の詳細な説明】
【技術分野】
【０００１】
本考案は、特にバッテリを交換することができる発光靴に関するものである。
【背景技術】
【０００２】
既存の靴は、足の保護の機能を備えるだけではなく、衣料品と組み合わせて飾りの効果を有して美観に優れるものであるから、デイサイン性及び機能性が求められ、消費者を引き寄せて購入させるものである。さらに、当業者は靴に発光部材を取り付け、照明機能を備えるものを開発した。
【０００３】
図７に示すように、既存の発光靴は、靴本体７０と、照明部材８０とを有し、その内、前記靴本体７０は、前端部７１と、後端部７２と、前端部７１と後端部７２との間に延設される履き空間７３とを備えるものである。
前記照明部材８０には、靴本体７０に設置されると共に、互いに電気接続する照明モジュール８１と、スイッチ８２と、制御モジュール８３と、電源部材８４とを備えるものであり、前記照明モジュール８１は、前端部７１に設置され、照明方向が前端部７１の前方に面するように形成されるものである。
【０００４】
使用者は、スイッチ８２による切り替え信号を出力して制御モジュール８３へ伝送し、この時、制御モジュール８３を介して照明モジュール８１を発光させて照明光を出力する。そうすることにより、使用者は、直接に靴本体７０を履いて照明モジュール８１からの光を出すと共に、照明機能を提供することができる。
【考案の概要】
【考案が解決しようとする課題】
【０００５】
しかしながら、既存の発光靴における電源部材８４は、使い捨ての乾電池を使うと共に、照明部材８０が靴本体７０に嵌まり込むように設置されることから、使用者は、バッテリの電力が無くなったら、新たなバッテリを交換することができず、発光靴に付いた照明機能を失ってしまう。
さらに、既存の発光靴における照明モジュール８１は、前端部７１の前端に集中的に設置されることから、光で射す角度が狭くて美観に劣り、改良する必要がある。
【課題を解決するための手段】
【０００６】
本考案に係るバッテリの交換可能な発光靴は、本体１０と、ソール２０と、照明装置３０とを有し、
前記本体１０は、履き部１１と、カバー１２とを備え、前記履き部１１は、底部に形成される底板１１１と、前記履き部１１に穿設される貫通孔１１２とを有し、前記カバー１２は、前記貫通孔１１２に設置されると共に、上方に引っ張り上げることができるように前記底板１１１に連接され、
前記ソール２０は、前記履き部１１の底部に連結され、前記ソール２０と底板１１１との間に収容空間２１が形成され、前記貫通孔１１２は、前記収容空間２１の上方に位置すると共に、前記収容空間２１と連通する、また、前記ソール２０は、半透明状を呈するものであり、
前記照明装置３０は、前記収容空間２１に設置され、照明モジュール３１と、切り替えスイッチ３２と、中央制御部３３とを備え、その内、前記照明モジュール３１は、前記収容空間２１に設置され、第一電気接続素子３１２を含み、前記切り替えスイッチ３２は、前記履き部１１に設けられ、第二電気接続素子３２１を含み、ライト開閉信号を生じ、前記中央制御部３３は、前記カバー１２の下方に位置し、第三電気接続素子３３１と、制御モジュール３３２と、バッテリ３３３と、保護体３３４とを備え、また、前記第三電気接続素子３３１を介して着脱可能に前記照明モジュール３１の第一電気接続素子３１２及び前記切り替えスイッチ３２の第二電気接続素子３２１と電気接続し、かつ、前記制御モジュール３３２は、そのライト開閉信号を受信すると、前記照明モジュール３１を駆動し、前記バッテリ３３３は、前記制御モジュール３３２と電気接続して電力を提供し、前記保護体３３４には、前記制御モジュール３３２及びバッテリ３３３を被覆するものである。
【０００７】
前記照明モジュール３１は、それぞれ前記収容空間２１の周囲に分散するように設置されると共に、放射状の照明方向が形成される複数の発光素子３１１を有し、また、前記切り替えスイッチ３２は、前記底板１１１の上方に位置することが好ましい。
【０００８】
前記ソール２０は、半透明状を呈するものである。
【０００９】
前記発光素子３１１は、発光ダイオードであり、
前記切り替えスイッチ３２は、押圧式のスイッチであることが好ましい。
【考案の効果】
【００１０】
本考案に係るバッテリの交換可能な発光靴は上記の課題を解決するものであり、発光靴におけるバッテリの電力が無くなったら、バッテリを交換することができ、発光素子からの光は、放射状を呈し、照明角度が広がると共に、眩しい効果がある。
【図面の簡単な説明】
【００１１】
【図１】本考案に係るバッテリの交換可能な発光靴の斜面図である。
【図２】本考案に係るバッテリの交換可能な発光靴における部分断面図である。
【図３】本考案に係るバッテリの交換可能な発光靴における部分斜面図である。
【図４】本考案に係るバッテリの交換可能な発光靴の使用状態を示す斜面図である。
【図５】本考案に係るバッテリの交換可能な発光靴の使用状態を示す斜面図である。
【図６】本考案に係るバッテリの交換可能な発光靴の使用状態を示す斜面図である。
【図７】既存の発光靴の斜面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１３】
図１乃至図6に示すように、本考案に係るバッテリの交換可能な発光靴は、本体１０と、ソール２０と、照明装置３０とを有するものである。
【００１４】
図１乃至図５に示すように、前記本体１０は、履き部１１と、カバー１２と、インソール１３とを備え、その内、前記履き部１１は、底部に形成される底板１１１と、前記履き部１１に穿設される貫通孔１１２とを有するものであり、前記カバー１２は、前記貫通孔１１２に設置されると共に、上方に引っ張り上げることができるように、前記底板１１１に連接されるものであり、前記インソール１３には、前記底板１１１に当接されるものである。
【００１５】
図２に示すように、前記ソール２０は、前記履き部１１の底部に連結され、ソール２０と底板１１１との間に収容空間２１が形成され、前記貫通孔１１２は、前記収容空間２１の上方に位置すると共に、前記収容空間２１と連通する、また、前記ソール２０は、半透明状を呈することが好ましい。
【００１６】
図１乃至図３に示すように、前記照明装置３０は、前記収容空間２１に設置され、照明モジュール３１と、切り替えスイッチ３２と、中央制御部３３とを備え、その内、前記照明モジュール３１は、複数の発光素子３１１と、第一電気接続素子３１２とを有し、前記各発光素子３１１は、発光ダイオードであってもよく、その複数の発光素子３１１は、それぞれ前記収容空間２１の周囲に分散するように設置され、放射状の照明方向が形成される。
【００１７】
前記第一電気接続素子３１２には、プラグ或いはソケットであっても構わなく、前記切り替えスイッチ３２は、押圧式のスイッチであってもよく、前記履き部１１の外環面に設けられると共に、底板１１１の上方に位置するものである。使用者は、切り替えスイッチ３２を押すと、ライト開閉信号を生じて照明モジュール３１の開閉状態を制御することができる。さらに、前記切り替えスイッチ３２は、第二電気接続素子３２１を含み、前記第二電気接続素子３２１は、プラグ或いはソケットであっても構わない。
【００１８】
前記中央制御部３３は、前記カバー１２の下方に位置し、第三電気接続素子３３１と、制御モジュール３３２と、バッテリ３３３と、保護体３３４とを備え、その内、前記第三電気接続素子３３１は、前記第一電気接続素子３１２及び第二電気接続素子３２１と対応するように設けられ、２つのプラグ或いは２つのソケットであってもよく、１つのプラグ或いは１つのソケットであってもよいものである。前記中央制御部３３は、前記第三電気接続素子３３１を介して、着脱可能に照明モジュール３１の第一電気接続素子３１２及び切り替えスイッチ３２の第二電気接続素子３２１と電気接続するものである。
【００１９】
図４に示すように、前記制御モジュール３３２は、そのライト開閉信号を受信すると、照明モジュール３１を駆動する、この時、発光素子３１１が駆動されて順序に点滅することができ、マーキーのような効果を表す。図３に示すように、前記バッテリ３３３は、前記制御モジュール３３２と電気接続して電力を提供するものである、前記保護体３３４には、前記制御モジュール３３２及びバッテリ３３３を被覆するものである。
【００２０】
図５及び図６に示すように、本考案に係るバッテリの交換可能な発光靴において、バッテリ３３３の電力が無くなったら、使用者は、インソール１３を取り外してカバー１２を引っ張り上げ、その後、元の中央制御部３３を取り外して新たなものと交換して電力を提供し続けるようにでき、非常に簡単である。
【００２１】
図４に示すように、本考案に係るバッテリの交換可能な発光靴において、発光素子３１１は、光を放射状のように呈することから、照明角度が広がって順次に点滅させることができ、眩しい効果がある。また、半透明状のソール２０を備えることから、本考案はさらに、美観に優れるものである。
【産業上の利用可能性】
【００２２】
本考案は上記の構成を有することから、発光靴におけるバッテリの電力が無くなったら、バッテリを交換することができ、発光素子からの光は、放射状を呈し、照明角度が広がると共に、眩しい効果がある。
【符号の説明】
【００２３】
１０    本体
１１    履き部
１１１  底板
１１２  貫通孔
１２    カバー
１３    インソール
２０    ソール
２１    収容空間
３０    照明装置
３１    照明モジュール
３１１  発光素子
３１２  第一電気接続素子
３２    切り替えスイッチ
３２１  第二電気接続素子
３３    中央制御部
３３１  第三電気接続素子
３３２  制御モジュール
３３３  バッテリ
３３４  保護体
７０    靴本体
７１    前端部
７２    後端部
７３    履き空間
８０    照明部材
８１    照明モジュール
８２    スイッチ
８３    制御モジュール
８４    電源部材
【図１】
0003169198.tif 000003
【図２】
0003169198.tif 000004
【図３】
0003169198.tif 000005
【図４】
0003169198.tif 000006
【図５】
0003169198.tif 000007
【図６】
0003169198.tif 000008
【図７】
0003169198.tif 000009